(57)【要約】【課題】本発明は展開型使い捨てオムツの容易に交換することができるという利点を持ちながら、排泄物の漏れを防ぎ衣類等を汚染しない展開型使い捨てオムツを提供することを目的とする。【解決手段】着脱しやすい展開型使い捨ておむつを使用されている方の排泄物の漏れを受け止めるため展開型使い捨ておむつにて漏れやすい個所である大腿部または腹部または背部に吸水性シートを設け漏れを受け止め前記目的を達成する。【選択図】図４
2012165991.tif 000002
【特許請求の範囲】
【請求項１】
展開型使い捨ておむつにおいて股下部から大腿部中間程度まで覆う一対の吸水性シートをもつことを特徴とする展開型使い捨ておむつ。
【請求項２】
展開型使い捨ておむつにおいて上腹部まで覆う吸水性シートをもつことを特徴とする展開型使い捨ておむつ。
【請求項３】
展開型使い捨ておむつにおいて背部まで覆う吸水性シートをもつことを特徴とする展開型使い捨ておむつ。
【請求項４】
展開型使い捨ておむつの股下部から大腿部中間程度まで覆う一対の吸水性シートを閉じる係止具をもつことを特徴とする請求項１記載の展開型使い捨ておむつ。
【請求項５】
展開型使い捨ておむつの股下部から大腿部中間程度まで覆う一対の吸水性シートに弾性をもつことを特徴とする請求項４記載の展開型使い捨ておむつ。
【請求項６】
展開型使い捨ておむつの股下部から大腿部中間程度まで覆う一対の吸水性シートにギャザーをもつことを特徴とする請求項４〜５記載の展開型使い捨ておむつ。
【請求項７】
展開型使い捨ておむつにおいて請求項２の上腹部まで覆う吸水性シートと請求項３に記載の背部まで覆う吸水性シートの両方をもつことを特徴とする展開型使い捨ておむつ。
【請求項８】
展開型使い捨ておむつにおいて請求項２に記載の上腹部まで覆う吸水性シートと請求項３に記載の背部まで覆う吸水性シートとを係止する部分をもつことを特徴とする展開型使い捨ておむつ。
【請求項９】
請求項８の展開型使い捨ておむつにおいて上腹部まで覆う吸水性シートと背部まで覆う吸水性シートのどちらか片方または両方に弾性をもつことを特徴とする展開型使い捨ておむつ。
【請求項１０】
請求項８〜９の展開型使い捨ておむつにおいて上腹部まで覆う吸水性シートと背部まで覆う吸水性シートのどちらか片方または両方にギャザーをもつことを特徴とする展開型使い捨ておむつ。
【請求項１１】
請求項１または４〜６のいずれかと請求項２〜３または７〜１０のいずれかを組み合わせたことを特徴とする展開型使い捨ておむつ。
【請求項１２】
臀部から陰部にかけての吸水性シートの交換が可能なことを特徴とする請求項１〜１１のいずれかの展開型使い捨ておむつ。
【発明の詳細な説明】
【技術分野】
【０００１】本発明は展開型使い捨ておむつに関する。
【背景技術】
【０００２】従来の展開型使い捨てオムツにおいては着用者が寝た姿勢のときに容易に交換することができるという利点がある。【０００３】従来の展開型使い捨てオムツにおいて、さまざまな状態での排泄物の流出、漏れ防止策は数多く考案されたが完全に防ぐことはできていない。
【発明の概要】
【発明が解決しようとする課題】
【０００４】従来の展開型使い捨てオムツにおいては、適切なあて方、おむつ選びをしても排泄物の漏れが防げず衣類等を汚染してしまう事があり、利用者本人と介護者の負担を増大させるという問題があった。【０００５】従来の展開型使い捨てオムツにおいては、排泄物の漏れが防ぎきれないために、インナー、アウターの枚数を増やしたり、おむつカバー、防水シーツなどを使用し対応していたため、厚くなってしまい、利用者本人と介護者に負担を強いていた。【０００６】本発明は展開型使い捨てオムツの容易に交換することができるという利点を持ちながら、排泄物の漏れを防ぎ衣類等を汚染しない展開型使い捨てオムツを提供することを目的とする。
【課題を解決するための手段】
【０００７】着脱しやすい展開型使い捨ておむつを使用されている方の排泄物の漏れを受け止めるため展開型使い捨ておむつにて漏れやすい個所である大腿部または腹部または背部に吸水性シートを設け漏れを受け止め前記目的を達成する。
【発明の効果】
【０００８】本発明の展開型使い捨ておむつは大腿部または腹部または背部に吸水性シートを設けることでおむつからの排泄物の漏れを防止することができる。
【図面の簡単な説明】
【０００９】
【図１】本発明の装着状態の前面図である。
【図２】本発明の装着状態の背面図である。
【図３】本発明の斜視図である。
【図４】本発明の平面図である。
【図５】従来より市場に提供されている展開型使い捨ておむつの装着状態の前面図である。
【図６】従来より市場に提供されている展開型使い捨ておむつの斜視図である。
【発明を実施するための形態】
【００１０】以下、本発明の展開型使い捨ておむつの形態について、図面を参照して説明する。
吸水性シート１は脚部１ａを覆っており脚部１ａへ流れてきた排泄物を吸収します。
吸水性シート２は腹部２ａを覆っており腹部２ａへ流れてきた排泄物を吸収します。
吸水性シート３は背部３ａを覆っており背部３ａへ流れてきた排泄物を吸収します。
係止具４を設けたものは吸水性シート１を閉じることができ吸水性シート１を脚部１ａへ密着させ係止具４を設けないものよりも脚部１ａへ流れてきた排泄物をより確実に吸収させることができます。
係止具４と弾性部材５を設けたものは脚部１ａの変形があっても吸水性シート１を脚部１ａへ密着させることができ係止具４と弾性部材５を設けないものよりも脚部１ａへ流れてきた排泄物を確実に吸収させることができます。
ギャザー６を設けたものは吸水性シート１の端部６ａを脚部１ａに密着させることができ脚部１ａへ流れてきた排泄物が外に漏れ出すのを防ぐことができます。
係止具８を設けたものは吸水性シート２と吸水性シート３を閉じることができ係止具８を設けないものよりも吸水性シート２と吸水性シート３を腹部２ａおよび背部３ａへ密着させることができ腹部２ａおよび背部３ａへ流れてきた排泄物を確実に吸収させることができます。
係止具８と弾性部材９を設けたものは腹部２ａまたは背部３ａの変形があっても吸水性シート２または吸水性シート３を腹部２ａおよび背部３ａへ密着させることができ係止具８と弾性部材９を設けないものよりも腹部２ａおよび背部３ａへ流れてきた排泄物を確実に吸収させることができます。
ギャザー１０を設けたものは吸水性シート２または吸水性シート３の端部１０ａまたは端部１０ｂを腹部２ａまたは背部３ａに密着させることができ腹部２ａおよび背部３ａへ流れてきた排泄物が外に漏れ出すのを防ぐことができます。
吸水性シート１２を取り外すことができるものは、吸水性シート１２のみが汚れていた場合におむつ全体を交換せずに吸水性シート１２のみを交換できます。
【符号の説明】
【００１１】１脚部吸水性シート
２腹部吸水性シート
３背部吸水性シート
４脚部吸水性シート係止具
５脚部吸水性シート弾性部材
６脚部吸水性シートギャザー
８腹部吸水性シートおよび背部吸水性シート係止具
９腹部吸水性シートおよび背部吸水性シート弾性部材
１０腹部吸水性シートおよび背部吸水性シートギャザー
１２中央部吸水性シート
【図１】
2012165991.tif 000003
【図２】
2012165991.tif 000004
【図３】
2012165991.tif 000005
【図４】
2012165991.tif 000006
【図５】
2012165991.tif 000007
【図６】
2012165991.tif 000008